(57)【要約】【課題】従来の陶板ケースは、卓上式であり、本発明が意図する壁掛け方式には不向きな構造である。また、組み立て方式であるが、運搬、持運び等に関しては、特段の配慮がなく、一面的な利用、即ち、展示専門と考えられる。従って、収容と運搬、持運び等に関しては、別の手段とケースが必要となり、無駄、かつ余分な資材が必要となる。【解決手段】展示物収容用のスペースに、展示物を収容した際に、固定するための支持材と止め具とを備え、また、ケースの開口部は、天板で隠蔽できるケースの構造であり、本発明が意図する、収容用、又は壁掛け展示用として利用できる多目的で、有用な各素材でなる陶板ケース等のケースを提供できる。【選択図】図１
2015208643.tif 000002
【特許請求の範囲】
【請求項１】
筐形ケースには、絵画、書画、写真、その他板状のモニュメントの展示物を収容できるスペースと、このスペースに、前記展示物を収容した際に、固定するための支持材と止め具とを備え、また、前記筐形ケースの開口部は、天板で隠蔽できる構造としたことを特徴とする展示物用のケースの構造。
【請求項２】
前記筐形ケースは、陶器で形成される陶板ケースとする構成とした請求項１に記載の展示物用のケースの構造。
【請求項３】
前記筐形ケースは、金属で形成される金属ケースとする構成とした請求項１に記載の展示物用のケースの構造。
【請求項４】
前記筐形ケースにおいて、前記展示物を収容した際に発生する空間、又は前記展示物を展示した際に発生する空間の如く、全ての状況において、発生する空間を、充填する緩衝材を備えてなる構成とした請求項１に記載の展示物用のケースの構造。
【請求項５】
前記支持材は、前記開口部の内鍔片に設けた、階段状の方形枠板とする構成とした請求項１に記載の展示物用のケースの構造。
【発明の詳細な説明】
【技術分野】
【０００１】
本発明は、展示物用のケースの構造に関する。より詳細には、収容用、又は壁掛け展示用として利用できる陶板ケースに関する。
【背景技術】
【０００２】
従来の陶板ケースとしては、調査の結果、卓上式の陶板ケースが挙げられる。例えば、特許文献１に開示された「メッセージ記念陶板」と、特許文献２に開示された「イーゼル付き陶板」とが挙げられる。
【０００３】
これらの陶板ケースは、卓上式であり、本発明が意図する壁掛け方式には不向きな構造である。また、組み立て方式であるが、運搬、持運び等に関しては、特段の配慮がなく、一面的な利用、即ち、展示専門と考えられる。従って、収容と運搬、持運び等に関しては、別の手段とケースが必要となり、無駄、かつ余分な資材が必要となる。
【先行技術文献】
【特許文献】
【０００４】
【特許文献１】登録実用新案第３０４５４５７号公報
【特許文献２】特開平１１−２６８４９９号公報
【発明の概要】
【発明が解決しようとする課題】
【０００５】
前述の如く、特許文献１、２を含めた従来技術の問題、例えば、卓上用として、限定されると考えられる陶板ケースであり、その他の目的を有していない。殊に、本発明が意図する、収容用、又は壁掛け展示用として利用できる陶板ケースとは考えられない。
【０００６】
前述の課題を解決するために、本発明は、展示物用のケース、即ち、収容用、又は壁掛け展示用として利用できる陶板ケース等のケースを提供する。また、展示物の収容と搬送に、別の手段とケースとを必要とせず、もって、無駄、かつ余分な資材を必要としない陶板ケース等のケースを提供する。
【課題を解決するための手段】
【０００７】
上記の目的を達成するために、本発明の請求項１に係る展示物用のケースの構造は、筐形ケースには、絵画、書画、写真、その他板状のモニュメントの展示物を収容できるスペースと、このスペースに、前記展示物を収容した際に、固定するための支持材と止め具とを備え、また、前記筐形ケースの開口部は、天板で隠蔽できる構造としたことを特徴とする。
【０００８】
本発明の請求項２に係る展示物用のケースの構造において、前記筐形ケースは、陶器で形成される陶板ケースとする構成とする。
【０００９】
本発明の請求項３に係る展示物用のケースの構造において、前記筐形ケースは、金属で形成される金属ケースとする構成とする。
【００１０】
本発明の請求項４に係る展示物用のケースの構造は、前記筐形ケースにおいて、前記展示物を収容した際に発生する空間、又は前記展示物を展示した際に発生する空間の如く、全ての状況において、発生する空間を、充填する緩衝材を備えてなる構成とする。
【００１１】
本発明の請求項５に係る展示物用のケースの構造において、前記支持材は、前記開口部の内鍔片に設けた、階段状の方形枠板とする構成とする。
【発明の効果】
【００１２】
請求項１の発明では、筐形ケースには、絵画、書画、写真、その他板状のモニュメントの展示物を収容できるスペースと、スペースに、展示物を収容した際に、固定するための支持材と止め具とを備え、また、筐形ケースの開口部は、天板で隠蔽できる展示物用のケースの構造であり、本発明が意図する、収容用、又は壁掛け展示用として利用できる多目的で、有用な各素材でなる陶板ケース等のケースを提供できる。
【００１３】
請求項２の発明では、前記筐形ケースは、陶器で形成される陶板ケースとする展示物用のケースの構造であり、本発明が意図する、収容用、又は壁掛け展示用として利用できる多目的で、有用な陶板ケースを提供できる。
【００１４】
請求項３の発明では、前記筐形ケースは、金属で形成される金属ケースとする構成とした請求項１に記載の展示物用のケースの構造であり、本発明が意図する、収容用、又は壁掛け展示用として利用できる多目的で、有用な金属ケースを提供できる。
【００１５】
請求項４の発明は、筐形ケースにおいて、前記展示物を収容した際に発生する空間、又は前記展示物を展示した際に発生する空間の如く、全ての状況において、発生する空間を、充填する緩衝材を備えてなる構成とした展示物用のケースの構造であり、本発明が意図する、収容用、又は壁掛け展示用として利用できる多目的で、有用な金属ケースを提供と、運搬、保管時に、展示物を保護できるケースの提供に有益である。
【００１６】
請求項５の発明では、支持材は、開口部の内鍔片に設けた、階段状の方形枠板とする構成とした展示物用のケースの構であり、本発明が意図する、収容用、又は壁掛け展示用として利用できる多目的で、有用な金属ケースを提供と、運搬、保管時の展示物の収納に有益なケースを提供できる。
【図面の簡単な説明】
【００１７】
【図１】第１実施例の展示物を陶板ケースに取付け、展示可能な状態の一例を示した俯瞰斜視図
【図２】第１実施例の展示物をケース本体に収容した状態を示す俯瞰斜視図
【図３】図１の平面図
【図４】図３のＡ−Ａ断面図
【図５】第１実施例の絵画（展示物）をケースに形成したスペースに収容した状態の一例を示した断面図
【図６】図１の展開図
【図７】図５を斜視図と見立てた状態を想定して示した展開図
【図８】第１実施例の別のケース本体の断面図
【図９】第２実施例の展示物を陶板ケースに取付け、展示可能な状態の一例を示した俯瞰斜視図
【図１０】第２実施例の展示物をケース本体に収容した状態を示す俯瞰斜視図
【図１１】図９の平面図
【図１２】図１１のＢ−Ｂ断面図
【図１３】第２実施例の絵画をケースに形成したスペースに収容した状態の一例を示した断面図
【図１４】第３実施例の絵画を陶板ケースに取付け、展示可能な状態の一例を示した断面図
【図１５】第３実施例の絵画をケースに形成したスペースに収容した状態の一例を示した断面図
【図１６】第４実施例の絵画を陶板ケースに取付け、展示可能な状態の一例を示した断面図
【図１７】第４実施例の絵画をケースに形成したスペースに収容した状態の一例を示した断面図
【図１８】第５実施例の絵画を陶板ケースに取付け、展示可能な状態の一例を示した断面図
【図１９】第５実施例の絵画をケースに形成したスペースに収容した状態の一例を示した断面図
【図２０】第６実施例の絵画を陶板ケースに取付け、展示可能な状態の一例を示した断面図
【図２１】第６実施例の絵画をケースに形成したスペースに収容した状態の一例を示した断面図
【図２２】第７実施例の絵画を陶板ケースに取付け、展示可能な状態の一例を示した断面図
【図２３】第７実施例の絵画をケースに形成したスペースに収容した状態の一例を示した断面図
【図２４】各実施例の構成を対比した表
【発明を実施するための形態】
【００１８】
以下、本発明の実施形態について図面を参照して詳細に説明する。尚、図中、同一又は同等の部分には同一の符号を付す。図では、ケースの上面に平行な面がＸＹ平面、このＸＹ平面に垂直な方向がＺ軸という座標系をとっている。
【００１９】
（第１実施例）
図１〜図８に示した第１実施例を説明すると、ケース１(ケース本体)は、筐形を呈しており、周辺の立設した枠辺１００と、この枠辺１００の上面より内方に向かって延設した方形、又は一文字形等でなる（他の部材も同じ、以下、省略）内枠片１０１とを備えている。この内枠片１０１には、開口部２が形成される。ケース１の素材は、陶磁器、金属、樹脂、木製、又は鋳物等とする（他の部材の素材も同じ）。
【００２０】
また、ケース１の開口部２の下側には、広い空間となるスペース３を設ける。このスペース３の上部で、かつ内枠片１０１の下面には、絵画Ｗを支持する段付内面５ａを備えた支持片５が繞設、又は数枚設けられている。そして、この支持片５の段付内面５ａには、額縁支持板６を設ける。この額縁支持板６は、内枠片１０１と面一に支持される。額縁支持板６の数か所に設けた伸縮自在の止め具７、７等（接着、嵌着、又は固定具）を介して、額縁底板８と、額縁枠１０を設ける。この額縁底板８と、額縁枠１０間に、絵画Ｗを設ける構造である。必要により、額縁支持板６、及び/又はケース１を図示しない止め具で緊締する。この止め具７の立上り長さを変更することで、ケース１に対する額縁底板１０と絵画Ｗの高さＨを調整する（図４参照）。尚、段付内面５ａの段付面５ｂは、内枠片１０１の開放端部と、同じ、垂直面となる。これにより、後述するように、段付面５ｂと内面端部１０１ａとで、額縁支持板６の周面端面が嵌着される。また、段付面５ｂで、樹脂製（アクリル樹脂）の天板１１の周面端面が嵌着される。この支持片５と、前記額縁支持板６、並びに止め具７とを、支持材と止め具と称するが、一例である。
【００２１】
ケース１に絵画Ｗを展示するには、予め、額縁支持板６に、止め具７を介して、絵画Ｗを支持された状態（絵画Ｗと、額縁支持板６とが一体状態）とし、この額縁支持板６を、開口部２より差入れ、額縁支持板６を、段付内面５ａに載架するとともに、その周辺を、内枠片１０１の内面端部１０１ａと、支持片５の段付面５ｂとに嵌着する。これにより、絵画Ｗが展示される。そして、必要により、額縁支持板６とケース１とを止め具９（接着、嵌着、又は固定具）で緊締する。
【００２２】
また、スペース３内に絵画Ｗを収容するには、絵画Ｗと、額縁支持板６とが一体状態で外すと、スペース３が確保される。続いて、開口部２を利用し、張出し枠片１０２ａより、天板１１を取外して、内底１０２を開放する。額縁支持板６は、開放された内底１０２に添接されるとともに、この内底１０２の張出し枠片１０２ａ間に、裏返して、下側になった額縁支持板６が嵌着される。この所作で、スペース３の空間領域内（スペース３内）に、絵画Ｗと、額縁支持板６とが一体状態のままで（スペース３内に、絵画Ｗが）収容されるので、内枠片１０１に、取外していた天板１１を、段付内面５ａに載架するとともに、天板１１を、支持片５の段付面５ｂに嵌着する（図５参照）。そして、必要により、天板１１、及び/又は、ケース１を止め具９で緊締する。従って、一度、絵画Ｗと、額縁支持板６とが一体状態となると、そのままで、展示と収容が可能となり、重宝すること、簡便化等に有効である。
【００２３】
そして、図６において、絵画Ｗと、額縁支持板６とが一体状態で展示した状況を分解して示している。また、図７において、絵画Ｗと、額縁支持板６とが一体状態で収容した状況を分解して示している。図中４はスペーサであり（図４、５参照）、必要により、段付内面５ａと張出し枠片１０２ａ間にセットされる。
【００２４】
図８に示した第１実施例の別のケース１においては、額縁支持板６に直接、額縁枠１０を止め具９により取付ける構造であり、額縁底板８を採用しない、簡易型構造である(他の第２〜第７実施例も同じ)。その他は、前述の例に準ずる。
【００２５】
（第２実施例）
図９〜図１３に示した第２実施例を説明すると、基本的な構造は、第１実施例と同じである（図２４参照）。そこで、相違点を説明すると、内枠片１０１を変更し、内枠突起１０１ｂとする。この内枠突起１０１ｂに、支持片５の周面５ｃを係止する構造とするとともに、深い段付内面５ａを形成した構造とする。この深い段付内面５ａの自由端片は、スペース３内に設けた、分離された、例えば、一文字形の変形Ｃ形（上下の枝片が長短である）の支持駒１２、１２等で支持される構造とする。
【００２６】
ケース１に絵画Ｗを展示するには、額縁支持板６を、開口部２より差入れ、額縁支持板６を、支持駒１２に載架するとともに、その周辺を、内枠片１０１の内面端部１０１ａに嵌着する。これにより、絵画Ｗが展示される。その他は、前述の例に準ずる。
【００２７】
また、スペース３内に絵画Ｗを収容するには、各支持駒１２を、９０度転倒し、長い枝部で段付内面５ａを支持する。額縁支持板６より順次、開口部２より差込むと、この額縁支持板６は、内底１０２に添接されるとともに、少なくとも、左右の支持駒１２の長い枝部間に嵌着される。その他は、前述の例に準ずる。
【００２８】
従って、一度、絵画Ｗと、額縁支持板６とが一体状態となると、そのままで、展示と収容が可能となり、重宝すること、簡便化等に有効である。
【００２９】
（第３実施例）
図１４、図１５に示した第３実施例を説明すると、基本的な構造は、第１・第２実施例と同じである（図２４参照）。そこで、相違点を説明すると、支持片５に、最も深い段付内面５ａを形成した構造とする。この最も深い段付内面５ａの自由端片は、スペース３内に設けた、分離された、例えば、一文字形で、低寸の変形Ｃ形（上下の枝片が長短である）の支持駒１２、１２等で支持される構造とする。
【００３０】
ケース１に絵画Ｗを展示するには、額縁支持板６を、開口部２より差入れ、天板１１は、ケース１の内底１０２に設置して置き、支持駒１２の短い枝片の高さを補助する。この状態において、額縁支持板６を、支持駒１２に載架するとともに、その周辺を、内枠片１０１の内面端部１０１ａに嵌着する。これにより、絵画Ｗが展示される。この展示された絵画Ｗが、ケース１の上面と、略同じ位置に展示されることが特徴である。その他は、前述の例に準ずる。
【００３１】
また、スペース３内に絵画Ｗを収容するには、各支持駒１２を、９０度転倒し、長い枝部で段付内面５ａを支持する。絵画Ｗと、額縁支持板６とが一体状態を、裏返しせず、そのままの状態で、開口部２より差込む。これにより、絵画Ｗが上面側に維持した状態で、額縁支持板６を、内底１０２に添接されるとともに、少なくとも、左右支持駒１２の長い枝部間に嵌着される。絵画Ｗと、額縁支持板６とが一体状態のままで、スペース３内に収容される。その他は、前述の例に準ずる。
【００３２】
従って、一度、絵画Ｗと、額縁支持板６とが一体状態となると、そのままで、展示と収容が可能となり、重宝すること、簡便化等に有効である。
【００３３】
（第４実施例）
図１６、図１７に示した第４実施例を説明すると、基本的な構造は、第１・第２実施例と同じである（図２４参照）。そこで、相違点を説明すると、支持片５に、深い段付内面５ａを形成した構造とする。この深い段付内面５ａの自由端片は、スペース３内に設けた、分離された、例えば、Ｔ字形の支持駒１２、１２等で補助される構造とする。尚、後述する固定駒１３を備えている。
【００３４】
ケース１に絵画Ｗを展示するには、額縁支持板６を、開口部２より差入れ、額縁支持板６を、支持駒１２に載架するとともに、その周辺を、支持片５の段付面５ｂに嵌着する。これにより、絵画Ｗが展示される。その他は、前述の例に準ずる。固定駒１３は、一文字形、又はブロック形の形状で、所定の重さ、又は嵌合手段を備えていることで、支持駒１２の転倒防止と、固定等を図る。この固定駒１３は、採用する場合と、採用しない場合とがある（各実施例の、それぞれの部材も、個々に説明しないが、同じことである）。
【００３５】
また、スペース３内に絵画Ｗを収容するには、額縁支持板６と絵画Ｗを裏返して、絵画Ｗより、開口部２より差込むと、額縁支持板６は、支持駒１２の上面に載架されるとともに、その周辺が、支持片５の段付面５ｂに嵌着される。絵画Ｗと、額縁支持板６とが一体状態のままで、スペース３内に収容される。その他は、前述の例に準ずる。
【００３６】
従って、一度、絵画Ｗと、額縁支持板６とが一体状態となると、そのままで、展示と収容が可能となり、重宝すること、簡便化等に有効である。
【００３７】
（第５実施例）
図１８、図１９に示した第５実施例を説明すると、基本的な構造は、第１・第２実施例と同じである（図２４参照）。そこで、相違点を説明すると、緩衝材１５を使用することである。例えば、図１８においては、第２実施例の収容状態において（図１３参照）、支持片５を、角柱状で、かつ対の緩衝材１５で抱持し、内底１０２と天板１１との間に設けた使用状態で、確実、かつ安全な使用と、長期の保存とか、遠距離への運搬等に有益である。また、図１８においては、第３実施例の収容状態において（図１５参照）、支持片５を、突片を端部に備えた板状の緩衝材１５で抱持し、支持片５と天板１１との間に設けた使用状態で、少ない緩衝材１５の使用であっても（図１８に比して、以下同じ）、確実、かつ安全な使用と、長期の保存とか、遠距離への運搬等に有益である。従って、一度、絵画Ｗと、額縁支持板６とが一体状態となると、そのままで、展示と収容が可能となり、重宝すること、簡便化等に有効である。
【００３８】
（第６実施例）
図２０、図２１に示した第６実施例を説明すると、基本的な構造は、第１・第２実施例と同じである（図２４参照）。そこで、相違点を説明すると、緩衝材１５を使用することである。例えば、図１９においては、第３実施例の展示状態において（図１４参照）、支持駒１２の端面と内底１０２に接するように、一枚の板状の緩衝材１５を葺設し、額縁支持板６を載架する構造であり、その特徴は、前述の第５実施例に準ずる。また、図２０は、第３実施例の収容状態において（図１５参照）、額縁枠１０に緩衝材１５を載架し、天板１１を嵌着するようにして使用状態で、少ない緩衝材１５使用であっても、確実、かつ安全な使用と、長期の保存とか、遠距離への運搬等に有益である。従って、一度、絵画Ｗと、額縁支持板６とが一体状態となると、そのままで、展示と収容が可能となり、重宝すること、簡便化等に有効である。
【００３９】
（第７実施例）
図２２、図２３示した第７実施例を説明すると、基本的な構造は、第１・第２実施例と同じである（図２４参照）。そこで、相違点を説明すると、支持駒１２を使用しない構造であり、かつケース１の内枠突起１０１ｂを長くした構造である。従って、支持片５が片持ち構造であること、又は支持片５は耐性を備える構造とする。図２１においては、第２実施例の展示状態において（図１２参照）、支持駒１２が備わっていないこと以外は、原則として同じである。また、図３は、第２実施例の収容状態において（図１３参照）、支持駒１２が備わっていないこと以外は、原則として同じである。尚、この第７実施例は、スペーサ４を使用することが望ましい。
【００４０】
従って、一度、絵画Ｗと、額縁支持板６とが一体状態となると、そのままで、展示と収容が可能となり、重宝すること、簡便化等に有効である。
【００４１】
以上で説明した各実施例は、好ましい一例を示したものであり、同様な効果と特徴を有する他の構造、手段は、本発明の範疇である。
【符号の説明】
【００４２】
１  ケース
１００  枠辺
１０１  内枠片
１０１ａ  内面端部
１０１ｂ  内枠突起
１０２  内底
１０２ａ  張出し枠片
２  開口部
３  スペース
４  スペーサ
５  支持片
５ａ  段付内面
５ｂ  段付面
５ｃ  周面
６  額縁支持板
７  止め具
８  額縁底板
９  止め具
１０  額縁枠
１１  天板
１２  支持駒
１３  固定駒
１５  緩衝材
Ｗ    絵画（展示物）
【図１】
2015208643.tif 000003
【図２】
2015208643.tif 000004
【図３】
2015208643.tif 000005
【図４】
2015208643.tif 000006
【図５】
2015208643.tif 000007
【図６】
2015208643.tif 000008
【図７】
2015208643.tif 000009
【図８】
2015208643.tif 000010
【図９】
2015208643.tif 000011
【図１０】
2015208643.tif 000012
【図１１】
2015208643.tif 000013
【図１２】
2015208643.tif 000014
【図１３】
2015208643.tif 000015
【図１４】
2015208643.tif 000016
【図１５】
2015208643.tif 000017
【図１６】
2015208643.tif 000018
【図１７】
2015208643.tif 000019
【図１８】
2015208643.tif 000020
【図１９】
2015208643.tif 000021
【図２０】
2015208643.tif 000022
【図２１】
2015208643.tif 000023
【図２２】
2015208643.tif 000024
【図２３】
2015208643.tif 000025
【図２４】
2015208643.tif 000026